(57)【特許請求の範囲】
【請求項１】
スピーカと該スピーカを収納する所定高さのスピーカボックスとを有する２つのスピーカ装置を左右に離間配置して使用するスピーカシステムにおいて、
前記一方のスピーカ装置のスピーカボックスの中には、
スクリーンの一端を固定し、該スクリーンを巻き取る付勢力を有する巻取り手段と、
一端が前記巻取り手段に固定され、他端が保持棒に固定され、前記巻取り手段に巻き取り及び引き出し自在に保持されたスクリーンと、
前記巻取り手段と、該巻取り手段に巻き取られた前記スクリーンとを収納する第１の収納部とを備え、
前記他方のスピーカ装置のスピーカボックスの中には、
前記スクリーンの他端を固定した保持棒を結合する結合手段と、
前記結合手段と、前記結合手段に結合された保持棒とを収納する第２の収納部とを備え、
前記スクリーンを前記一方のスピーカ装置の前記巻取り手段から引き出し、前記保持棒を前記他方のスピーカ装置の前記結合手段に結合させることで、前記スクリーンを画像投写用スクリーンとして前記２つのスピーカ装置の間に架張し、前記保持棒を前記結合手段から離脱させ、前記スクリーンを前記巻取り手段に巻き取らせることで、前記スクリーンを前記一方のスピーカ装置の中に仕舞うことを特徴とするスピーカシステム。
【発明の詳細な説明】
【０００１】
【発明の属する技術分野】
本発明は、画像投射用のスクリーンを備えたスピーカシステムに関する。
【０００２】
【従来の技術】
画像投射用プロジェクタを用いて、映画等を楽しむためには、スピーカ装置を用意すると共に、画像投射用の大型スクリーンを設置する必要がある。従来のスクリーンは、使用時に通常壁等に吊るし、スクリーンが汚れるのを回避するために、不使用時にはスクリーンを押し入れ等に収納するのが普通である。
【０００３】
又、スクリーンを、モータを用いて、不使用時には天井裏等に巻き上げ、使用時には巻き戻して壁に沿って広げるようにしたスクリーン装置も考えられるが、装置自体の価格や工事費用が高くなるので、一般家庭用には不向きである。
【０００４】
【発明が解決しようとする課題】
かかる点に鑑み、本発明は、使用時にスクリーンを用意したり、不使用時にそのスクリーンを仕舞うのが容易となり、しかも、スクリーンを仕舞う場所の確保を不要とする装置を提案しようとするものである。
【０００５】
【課題を解決するための手段】
本発明は、スピーカとスピーカを収納する所定高さのスピーカボックスとを有する２つのスピーカ装置を左右に離間配置して使用するスピーカシステムにおいて、一方のスピーカ装置のスピーカボックスの中には、スクリーンの一端を固定し、スクリーンを巻き取る付勢力を有する巻取り手段と、一端が巻取り手段に固定され、他端が保持棒に固定され、巻取り手段に巻き取り及び引き出し自在に保持されたスクリーンと、巻取り手段と、巻取り手段に巻き取られたスクリーンとを収納する第１の収納部とを備え、他方のスピーカ装置のスピーカボックスの中には、スクリーンの他端を固定した保持棒を結合する結合手段と、結合手段と、結合手段に結合された保持棒とを収納する第２の収納部とを備え、スクリーンを一方のスピーカ装置の巻取り手段から引き出し、保持棒を他方のスピーカ装置の結合手段に結合させることで、スクリーンを画像投写用スクリーンとして２つのスピーカ装置の間に架張し、保持棒を結合手段から離脱させ、スクリーンを巻取り手段に巻き取らせることで、スクリーンを一方のスピーカ装置の中に仕舞うことを特徴とするスピーカシステムとしたものである。
【０００６】
かかる本発明によれば、スクリーンを使用するときは、左及び右スピーカ装置の各スピーカボックスの一方の中に、巻取り棒に巻取られているスクリーンを引き出して、スクリーンの保持棒を、他方の中に設けられている結合部に結合し、各スピーカボックス間の間隔を広げるように、その位置を設定すれば、スクリーンは各スピーカボックス間に架張される。スクリーンの不使用時は、他方のスピーカボックスの保持棒に結合されている結合部の結合を解除した後、一方のスピーカボックスの巻取り棒を駆動手段によって回転させて、スクリーンをそのスピーカボックスの収納部内に仕舞うことができる。
【０００７】
【発明の実施の形態】
以下に、図１〜図３を参照して、本発明の実施の形態の詳細を説明する。先ず、この実施の形態の全体の構成を示す図１について説明する。１及び２は、それぞれ左及び右スピーカ装置（システム）で、それぞれ左及び右スピーカ６Ｌ、６Ｒ並びにその左及び右スピーカ６Ｌ、６Ｒがそれぞれ内部に取り付けられた左及び右スピーカボックス１Ｘ、２Ｘから構成させる。尚、１Ｂ、２Ｂはスピーカボックス１Ｘ、２Ｘの基台である。かかるスピーカ装置１、２は、それぞれ大型のスピーカ装置で、例えば、３０ｋｇの重量を有する。
【０００８】
４は幅の一定なシート状のスクリーン、４ａはその矩形の映像投射部（細かいガラズビースが一面に塗布されている）である。このスクリーン４の一側縁には巻取り棒３が固定されると共に、その巻取り棒３が、例えば、左スピーカボックス１Ｘ内の前方右側に設けられた収納部１Ｓ内に、回転自在に取付けられる。１ＳＬはスクリーン４が出入りするスリットで、左スピーカボックス１Ｘの右側面に設けられている。左スピーカ６Ｌは、左スピーカボックス１Ｘの内の前方左側に、正面を向くように取付けられている。
【０００９】
次に、図２を参照して、スクリーン４を巻取り棒３に巻取るときに、巻取り棒３を回転駆動する駆動手段８について説明する。上述の巻取り棒３が円管状に構成されており、左スピーカボックス１Ｘの天井と、基台１Ｂ間に固定された軸３ＡＸの回りに回動自在に取付けられる。この巻取り棒３と、スピーカボックス１Ｘの天井及び基台１Ｂとの間には、それぞれベアリング３Ｂ１、３Ｂ２が介在せしめられている。そして、軸３ＡＸの回りにつる巻きばね３ＳＰが巻付けられ、その一端が軸３ＡＸに固定され、その他端が巻取り棒３に固定されている。
【００１０】
図１に戻って説明する。スクリーン４の他側縁には保持棒５が取り付けられている。この保持棒５は左スピーカボックス１Ｘのスリット１ＳＬを通過しない太さを有する。この保持棒５と結合する結合部７を、右スピーカボックス２Ｘ内の前方左側に設けられた収納部２Ｓ内に取付ける。保持棒５を、例えば、円柱状としたときは、結合部７は、プラスチック、ゴム等の弾性材料から構成され、断面が２７０°程度の部分円（保持棒５の外径より僅か長い内径を有する）である樋形状に構成し、柱状の基部７Ｂと一体に形成され、その基部７Ｂが、例えば、右スピーカボックス２Ｘ内の前方左側に設けられた収納部２Ｓ内の側壁にねじ止めされている。２ＳＬは保持棒７が出入りするスリットで、右スピーカボックス２Ｘの左側面に設けられている。
【００１１】
尚、画像投射用プロジェクタは図示を省略するも、図１Ａにおいて、スクリーン４の前方、又は、後方に配置するものとする。
【００１２】
次に、図１及び図２と共に、図３を参照して、この実施の形態の動作を説明する。スクリーン４を使用するときは、図３Ａに示すように、スクリーン４が巻取り棒３に巻取られている状態から、つる巻きばね３ＳＰの弾性力に抗して、保持棒５を引っ張ることにより、スクリーン４が左スピーカボックス１Ｘの収納部１Ｓから、スリット１ＳＬを通じて外部に引き出し、図３Ｂに示すように、保持棒５を右スピーカボックス２Ｘの近くまで持って来る。この結合部７は、図３Ｂに示すように、両側に広げ得るようになっている。そこで、保持棒３をこの結合部７内に押し込むことにより、図３Ｃに示すように、保持棒３は結合部７内に嵌合されて結合される。そして、左及び右スピーカ装置１、２間の間隔を広げて、図１Ａ、Ｂに示すように、その左及び右スピーカ装置１、２間にスクリーン４を架張する。
【００１３】
スクリーン４を仕舞うときは、左及び右スピーカ装置１、２間の間隔を狭めるように、左及び右スピーカ装置１、２の一方又は双方を移動させた後、つる巻きばね３ＳＰの弾性力によって、巻取り棒３を右回り回転させて、スクリーン４を巻取り棒３に巻き取らせる。その後、スクリーン４を引っ張って、保持棒５を結合部７から離脱させた後、再度、つる巻ばね３ＳＰの弾性力によって、巻取り棒３を右回り回転させて、スクリーン４の残りの部分を巻取り棒３に巻き取らせる。このときは、図３Ａに示すように、保持棒５は左スピーカボックス１Ｘのスリット１ＳＬの所で止まっている。
【００１４】
尚、駆動手段８としては、手動により巻取り棒３を回転させるクランク等でも良い。
【００１５】
又、保持棒５及び結合部７のいずれか一方及び他方を、それぞれ永久磁石及び強磁性体として、保持棒５の結合部７に対する結合を磁気力によるようにしても良い。尚、保持棒５及び結合部７の構成はその他に種々の変形が可能である。
【００１６】
【発明の効果】
上述せる本発明によれば、左及び右スピーカ装置と、画像投射用のスクリーンとを有し、左及び右スピーカ装置の各スピーカボックスの一方の中に、スピーカと共に巻取り棒及びその巻取り棒に一側縁が固定され、その巻取り棒に巻付けられたスクリーンを収納する収納部を設けると共に、一方に巻取り棒を回転させてスクリーンをその巻取り棒に巻取る駆動手段を設け、各スピーカボックスの他方の中に、スピーカと共にスクリーンの他側縁に設けられた保持棒と結合する結合部を設けたので、使用時にスクリーンを用意したり、不使用時にそのスクリーンを仕舞うのが容易となり、しかも、スクリーンを仕舞う場所の確保を不要とする画像投射用のスクリーンを備えたスピーカ装置を得ることができる。
【図面の簡単な説明】
【図１】Ａ  本発明の実施の形態の使用状態の断面図である。
Ｂ  その実施の形態の使用状態の正面図である。
【図２】実施の形態の巻取り棒を回転させる駆動手段を示す断面図である。
【図３】Ａ  スクリーンが左スピーカボックス内に収納された状態のスピーカボックスの一部を示す断面図である。
Ｂ  スクリーンの保持棒を結合部に結合させる直前の状態を示す保持棒及び結合部の断面図である。
Ｃ  保持棒を結合部に結合させた状態を示す保持棒及び及び結合部の断面図である。
【符号の説明】
１  左スピーカ装置、２  右スピーカ装置、１Ｘ  左スピーカボックス、２Ｘ右スピーカボックス、３巻取り棒、４  スクリーン、５  保持棒、６Ｌ  左スピーカ、６Ｒ  右スピーカ、７  結合部、８  駆動手段。
【図１】
0003890629.tif 000002
【図２】
0003890629.tif 000003
【図３】
0003890629.tif 000004